(57)【要約】  オーディオ／ビデオコンテンツと組み合わせて食品及び／又は飲料についての情報を提供する方法であって、前記方法はデータベースの具備を有し、前記データベースにおいて、前記オーディオ／ビデオコンテンツを識別するオーディオ／ビデオ識別子が、前記オーディオ／ビデオコンテンツ中の個々の場面／イベントと関連付けられるべき食品／飲料についての、及び前記オーディオ／ビデオコンテンツ中に前記食品／飲料が出現する時間についての、食品／飲料情報と関連づけられ、前記方法は更に、制御装置による前記データベースへの前記オーディオ／ビデオ識別子の送信と、前記データベースによる前記オーディオ／ビデオ識別子に関連する前記食品／飲料情報の決定及び前記決定された食品／飲料情報の前記制御装置への返信と、前記食品／飲料情報の表示のためのイベント及び／又は前記食品／飲料情報に含まれる命令に応じた食品／飲料の準備のためのイベントの起動と、を有する方法。
2007535087.tif 000002
【特許請求の範囲】
【請求項１】
オーディオ／ビデオコンテンツと組み合わせて食品及び／又は飲料についての情報を提供する方法であって、前記方法はデータベースの具備を有し、前記データベースにおいて、前記オーディオ／ビデオコンテンツを識別するオーディオ／ビデオ識別子が、前記オーディオ／ビデオコンテンツ中の個々の場面／イベントと関連付けられるべき食品／飲料についての、及び前記オーディオ／ビデオコンテンツ中に前記食品／飲料が出現する時間についての、食品／飲料情報と関連づけられ、前記方法は更に、制御装置による前記データベースへの前記オーディオ／ビデオ識別子の送信と、前記データベースによる前記オーディオ／ビデオ識別子に関連する前記食品／飲料情報の決定及び前記決定された食品／飲料情報の前記制御装置への返信と、前記食品／飲料情報の表示のためのイベント及び／又は前記食品／飲料情報に含まれる命令に応じた食品／飲料の準備のためのイベントの起動と、を有する方法。
【請求項２】
前記制御装置は、利用され得る食品／飲料準備装置に関する装置情報を前記データベースに送信する、請求項１に記載の方法。
【請求項３】
前記制御装置は、消費者情報を前記データベースに送信する、請求項１に記載の方法。
【請求項４】
前記食品／飲料情報は、オーディオ／ビデオ装置及び／又は食品／飲料準備装置の動作のための命令を有する、請求項１に記載の方法。
【請求項５】
前記データベースは、受信された前記オーディオ／ビデオ識別子及び前記消費者情報の両方から注文情報を生成し、前記注文情報をデータネットワークによって食品／飲料供給元へと送信する、請求項３に記載の方法。
【請求項６】
前記データベースは、データネットワークにより更新されることができる、請求項１に記載の方法。
【請求項７】
前記制御装置は、データネットワークにより前記データベースと通信する、請求項１に記載の方法。
【請求項８】
前記データベースは、前記制御装置にロードされ前記制御装置において動作させられる、請求項１に記載の方法。
【請求項９】
前記制御装置は、オーディオ／ビデオ装置及び／又は食品／飲料準備装置及び／又はリモートコントローラユニットに内蔵される、請求項１に記載の方法。
【請求項１０】
オーディオ／ビデオコンテンツと組み合わせて食品及び／又は飲料についての情報を提供するための制御装置であって、前記オーディオ／ビデオコンテンツは、オーディオ／ビデオ識別子により識別されることが可能であり、前記制御装置は、前記オーディオ／ビデオ識別子をデータベースへ送信し、前記送信されたオーディオ／ビデオ識別子に応答して前記データベースから食品／飲料情報を受信するための通信手段を持ち、前記食品／飲料情報は、前記オーディオ／ビデオコンテンツ中の個々の場面／イベントと関連付けられるべき食品／飲料についての、及び前記オーディオ／ビデオコンテンツ中に前記食品／飲料が出現する時間についての情報を含み、前記制御装置は、前記食品／飲料情報に含まれる命令に応じて、前記食品／飲料情報を表示するようにオーディオ／ビデオ装置を動作させる及び／又は食品／飲料を準備するための装置を動作させるように構成された制御装置。
【請求項１１】
利用され得る食品／飲料準備装置に関する装置情報を決定又は受信し、前記装置情報を前記データベースに送信するように構成された、請求項１０に記載の制御装置。
【請求項１２】
消費者情報を受信し、前記消費者情報を前記データベースに送信するように構成された、請求項１０に記載の制御装置。
【請求項１３】
前記通信手段は、データネットワークにより前記データベースと通信するように構成された、請求項１０に記載の制御装置。
【請求項１４】
前記データベースがロードされローカルに実行されるようにするように構成された、請求項１０に記載の制御装置。
【請求項１５】
オーディオ／ビデオデータ担体に保存されたオーディオ／ビデオ識別子を読み取るように構成された、請求項１０に記載の制御装置。
【請求項１６】
好ましくはバーコード読み取り手段又は接触なしで読み取られることが可能なデータ担体を読み取るための手段を有する食品／飲料走査手段を更に有する、請求項１０に記載の制御装置。
【請求項１７】
オーディオ／ビデオ装置及び／又は食品／飲料準備装置及び／又はリモートコントローラユニットに内蔵された、請求項１０に記載の制御装置。
【発明の詳細な説明】
【技術分野】
【０００１】
本発明は、オーディオ／ビデオコンテンツと組み合わせ食品及び／又は飲料についての情報を提供する方法に関する。
【０００２】
本発明は、オーディオ／ビデオコンテンツと組み合わせ食品及び／又は飲料についての情報を提供する制御装置に関する。
【背景技術】
【０００３】
米国特許出願ＵＳ２００１／００４８６４１より、例えば音楽、映画等が予め記録された再生カセットのような記録物を含む特殊再生カセット及び再生装置を持つ芳香装置が知られている。前記再生カセットはまた、香りを持つ幾つかのカートリッジを含み、前記再生装置は、芳香発散装置を含む。前記再生カセットにおける記録物は、前記芳香発散装置に所定の芳香カートリッジから芳香を周囲に発散させる、不可聴の制御信号を含む。該既知の再生装置の目的は、人間の視覚及び聴覚のみならず嗅覚も引き付ける、一種の「香り付き映画」を実装することである。
【発明の開示】
【発明が解決しようとする課題】
【０００４】
該既知の再生装置は、オーディオ及びビデオコンテンツを鑑賞する際に、単に視覚及び聴覚のみの刺激よりも包括的な体験を視聴者に提供する方法を開示していることは確かであるが、制限される刺激は嗅覚の刺激である。この場合において問題であることは、空間は非常に迅速に香りによって満たされることができるが、当該空間から当該香りを迅速に除去することが、視聴者に対して強風でも当てない限り、困難である点である。それ故、該既知の再生装置を利用することは、短時間で、該装置が動作する空間に多くの種類の香りの混合が定着され、該香りの刺激により該混合が視聴者に煩わしいものとなることに帰着する。それ故、映画が視聴されている際、又はより一般的に言えば、いずれかの種類のオーディオ及びビデオコンテンツが鑑賞されている際に、視覚及び聴覚に提供される直接の刺激を超える方法で人間の感覚に訴え、それ故感覚的な体験が最大化されることを確実にする、包括的な体験を消費者に提供するニーズが依然としてある。本発明者の功績は、聴覚及び視覚の体験が、人間の味覚もが刺激されるような方法で拡張される特有の要件があることを認識したことである。該要件の証拠は例えば、映画の観客によって消費される大量のポップコーン及びレモネードに基本的に見られる。しかしながら、ランダム的な食品、飲料及びとりわけスナックの消費は、望ましい方法で聴覚及び視覚の体験を拡張する適切な方法ではなく、視聴者は映画又はビデオの内容に関連する特定の食品及び飲料の消費の結果としてのみ、意図される包括的な体験を得、かくして該視聴者が該映画又はビデオ中で何が起こっているかを或る程度識別するようにする。
【０００５】
本発明の目的は、上述の最初のパラグラフにおいて示された種類の方法、及び上述の２つ目のパラグラフにおいて示された種類の制御装置を提供することにあり、これにより上述の目的が達成される。
【課題を解決するための手段】
【０００６】
上述した目的が達成されるようにするため、本発明の特徴は、以下のように特徴付けられるような本発明による方法、即ち、
オーディオ／ビデオコンテンツと組み合わせて食品及び／又は飲料についての情報を提供する方法であって、前記方法はデータベースの具備を有し、前記データベースにおいて、前記オーディオ／ビデオコンテンツを識別するオーディオ／ビデオ識別子が、前記オーディオ／ビデオコンテンツ中の個々の場面／イベントと関連付けられるべき食品／飲料についての、及び前記オーディオ／ビデオコンテンツ中に前記食品／飲料が出現する時間についての、食品／飲料情報と関連づけられ、前記方法は更に、制御装置による前記データベースへの前記オーディオ／ビデオ識別子の送信と、前記データベースによる前記オーディオ／ビデオ識別子に関連する前記食品／飲料情報の決定及び前記決定された食品／飲料情報の前記制御装置への返信と、前記食品／飲料情報の表示のためのイベント及び／又は前記食品／飲料情報に含まれる命令に応じた食品／飲料の準備のためのイベントの起動と、を有する方法において提供される。
【０００７】
上述した目的が達成されるようにするため、本発明の特徴は、以下のように特徴付けられるような本発明による制御装置、即ち、
オーディオ／ビデオコンテンツと組み合わせて食品及び／又は飲料についての情報を提供するための制御装置であって、前記オーディオ／ビデオコンテンツは、オーディオ／ビデオ識別子により識別されることが可能であり、前記制御装置は、前記オーディオ／ビデオ識別子をデータベースへ送信し、前記送信されたオーディオ／ビデオ識別子に応答して前記データベースから食品／飲料情報を受信するための通信手段を持ち、前記食品／飲料情報は、前記オーディオ／ビデオコンテンツ中の個々の場面／イベントと関連付けられるべき食品／飲料についての、及び前記オーディオ／ビデオコンテンツ中に前記食品／飲料が出現する時間についての情報を含み、前記制御装置は、前記食品／飲料情報に含まれる命令に応じて、前記食品／飲料情報を表示するようにオーディオ／ビデオ装置を動作させる及び／又は食品／飲料を準備するための装置を動作させるように構成された制御装置において提供される。
【０００８】
本発明による特徴の利点により達成されることは、オーディオ／ビデオコンテンツを鑑賞する際、視聴者が包括的な体験を提供される点であり、その間視聴者は聴覚及び視覚的な楽しみを増すように刺激されるだけでなく、視聴者の味覚も刺激される。映画館で映画を観る前に単にスナックを買うこととは異なり、オーディオ／ビデオコンテンツと、提供される食品及び飲料についての情報との間に関連がある。とりわけ、視聴者は、該オーディオ／ビデオコンテンツに適した食品及び飲料を通知され、必要であれば、適切な時間に該食品及び飲料を取得及び準備するよう指示を受ける。又は、通知される情報が、食品／飲料を準備する装置を自動的に制御するために利用されても良く、又は食品／飲料の供給元が注文された食品及び飲料を適切な時間に供給できるように注文を生成し該供給元に送信するために利用されても良い。本発明により為される対応により実現されるものはとりわけ、劇中で俳優が食品及び飲料を消費するのと同時に、映画の視聴者がその場で同じ食品及び飲料を消費することである。かくして視聴者は自身が映画の場面の一部であるように感じることができ、劇中で起こっていることとの当該相互作用の結果、従来可能であったよりも強く映画を体験することができる。
【０００９】
今日まで、食品及び飲料と、オーディオ／ビデオコンテンツの体験との間に相関を作り上げるための試みは少数しか為されて居ないと言える。この点、映画を上映する前にブランチを提供する映画館もある。例えば種々のパフォーマンスと組み合わせ夕食が提供されるような、ディナーショー（meal-and-a-show）も発展している。屋外映画館はしばしば、映画スペース自体の周囲に種々のレストランを持つ。しかしながら、これらの手法は全て、非技術的な特性のものであり、その上、提供される食品及び飲料と映画の内容との間に関係がないという欠点を持つ。同様に、既知の手法を用いる場合、食品及び飲料の消費と劇中のイベントとの間に時間的な同期が殆ど無い。最後に、これらの既知の手法は、公的な娯楽施設に限られ、私的な家庭に適用可能でない。
【００１０】
請求項２及び１１において為される対応の下では、例えば特定の装置のパワーについての正当な許可を伴う食品の加熱時間のような、装置に特有な命令が食品／飲料情報に含まれることを可能とする、前記装置により必要とされる情報についてデータベースにおいて許可が作成されるという利点が得られる。
【００１１】
請求項３及び１２において為される対応の下では、例えば肉を含まない食品のみが含まれるようにするなど、食品／飲料情報が消費者の好みに適合されることができるという利点が得られる。
【００１２】
請求項４において為される対応の下では、食品／飲料情報に含まれる命令により、オーディオ／ビデオ装置及び／又は食品／飲料準備装置が自動的に制御されることができ、かくしてユーザがオーディオ／ビデオ装置及び／又は食品／飲料準備装置を操作する必要があることに悩まされることなく、オーディオ／ビデオコンテンツに集中することを可能とするという利点が得られる。
【００１３】
請求項５において為される対応の下では、注文情報が自動的に生成され、かくして消費者をこの作業から解放するという利点が得られる。
【００１４】
請求項６において為される対応の下では、例えば、オーディオ／ビデオコンテンツに合致するインスタント食品の供給元が、データネットワークによりデータベースに当該目的のための情報を入力することが可能であるという利点が得られる。この種の供給元は、例えば純粋に商業的な理由により、包括的な範囲を提供しデータベースに適切な情報を追加することに関心があるため、このことは適切に最新の状態に維持される包括的なデータベースを生成するであろう。
【００１５】
請求項７及び１３において為される対応の下では、大多数の家庭が今日利用可能なインターネットへの接続を持っているため、データベースへのアクセスが殆ど至るところで利用可能であるという利点が得られる。
【００１６】
請求項８及び１４において為される対応の下では、スタンドアロン型の方法が実装されることができるという利点が得られる。この種のデータベースの製造元にとっては同様に、データベースが消費者にとってデータ担体上で利用可能とすることが可能であり、この場合データベースの製造及び配布は例えば購買契約ベースで行われても良く、又は広告により資金供給されても良い。
【００１７】
請求項９及び１７において為される対応の下では、前記制御装置が既存のユニットに組み込まれることができ、これにより該既存のユニットの機能を拡張することができるという利点が得られる。
【００１８】
請求項１５において為される対応の下では、技術的に直接的な実装可能性という利点が得られる。読み取り可能なオーディオ／ビデオ識別子についての既存の規格が既に存在し、その結果として広く受け入れられることが想定され得る。
【００１９】
請求項１６において為される対応の下では、極めて単純な操作という利点が得られ、誤りが為される確率が除外される。
【００２０】
本発明のこれらの及び他の態様は、以下に説明される実施例を参照しながら説明され明らかとなるであろう。
【発明を実施するための最良の形態】
【００２１】
以下の記載において、語の対「オーディオ／ビデオ（audio/video）」は「ＡＶ」と省略される。また、容易な読解のため、語の対「食品／飲料（food/beverages）」は「食品（food）」と短縮され、語「食品」は飲料をも含むものと解される。
【００２２】
図１は、模式的なブロック回路図の形で、ＡＶコンテンツと組み合わせて食品及び／又は飲料についての情報を提供するための、本発明による方法を実行するためのシステム１００の実施例を示す。システム１００は、コンピュータ１１上で動作するデータベースＤＢと、例えばインターネットのようなデータネットワーク７及び通信手段を介してデータベースＤＢにＡＶ識別子ＩＤを送信するように構成された制御装置１とを有する。データベースＤＢについては、受信されるＡＶ識別子ＩＤが問い合わせを表す。該問い合わせは、ＡＶ識別子ＩＤと関連する食品情報ＳＩを決定し、データネットワーク７によって該情報を制御装置１に返送することにより回答される。制御装置１はまた、食品／飲料準備装置３（以下略して食品準備装置３と呼ぶ）と通信する。食品／飲料準備装置３は、本例においては電子レンジの形をとり、リモートコントローラ手段４（以下略してリモートコントローラ４）と呼ぶ）、及び例えばＤＶＤプレイヤのようなオーディオ／ビデオ装置５を伴う。オーディオ／ビデオ装置５は、画面６にビデオ情報を表示する。ＡＶ装置５はまた、ＤＶＤレコーダ、ハードディスクからＡＶコンテンツを再生する装置、又はデータネットワークからＡＶコンテンツをダウンロードして再生する装置の形をとっても良いことに留意されたい。制御装置１はまた、食品走査手段２と通信する。食品走査手段２は好ましくは、バーコード読み取り手段又は非接触型データ担体を読み取る読み取り装置を持つ。該データ担体又はバーコードは、食品を作成するために利用される。
【００２３】
以下において、システム１００における本発明による方法の実行が説明されるが、例として、制御装置１がＡＶ装置５に内蔵されることを仮定する。ＡＶ装置５はＤＶＤプレイヤの形をとり、データベースＤＢはインターネットウェブサービスの形で利用可能であることを仮定する。データベースＤＢは、更新の目的のため、インスタント食品の製造元にとってアクセス可能であり、該製造元は特定のＡＶコンテンツに適した食品及び飲料を提供する。しかしながらデータベースＤＢは、例えば肉の無い、ノンアルコールの、コーシャの、等といった代替可能な選択肢を用いて更新されても良い。
【００２４】
データベースＤＢのレイアウトが図２に示される。データベースＤＢにおいて、例えば映画のようなＡＶコンテンツを識別するＡＶ識別子ＩＤが、該ＡＶコンテンツ中の個々の場面／イベントに関連する食品、及び該ＡＶコンテンツに該食品が出現する時間についての食品情報ＳＩと関連付けられる。食品情報ＳＩは、ユーザの好みＰｒｅｆ、当該食品に関連して表示されるべきテキストについての命令Ｉｎｓｔ１、及び以下に詳細に説明されるような装置情報のアイテムＧＩの関数である制御命令Ｉｎｓｔ２に適合するように変化する食品についての種々の提案を含む。データベースＤＢはまた、種々の食品及び飲料のとり得る供給元についてのエントリＣａｔを含む。消費者は、ＤＶＤに収録される例えば映画のようなＡＶコンテンツを、該ＤＶＤをＤＶＤプレイヤ５に挿入することにより特定する。所定のキーを押下すること又はリモートコントローラ４上の入力のシーケンスを為すことは、前記ＤＶＤ上のＡＶコンテンツの符号化特性を、ＡＶ識別子ＩＤとして読み出されインターネットによりデータベースＤＢに送信されるようにする。データベースＤＢは次いで、食品情報ＳＩを決定し、ＤＶＤプレイヤ５に内蔵された制御装置１に返送する。食品情報ＳＩの内容に依存して、例えば「冷たいビールを用意してください」、「インスタント食品ＸＹを電子レンジに入れてください」といった、消費者に対して特別な命令が画面６に表示される。該消費者は、映画の間に気を散らされないように、映画が開始する前にこれらの命令を実行するべきである。任意の情報として、食品及び飲料の準備又は提供が開始されるべき映画中の時間が示され、これにより消費者は該映画中の俳優と同じ時間に同じ料理を食べることが可能となる。前記食品情報に含まれる時間情報の表示に加えて、又は代替として、該情報は制御装置１によって、インスタント食品が前もって配置された電子レンジのような食品準備装置３をプログラムするために利用されても良い。食品準備装置３は制御装置１（又は制御装置１の特定の機能）を内蔵しても良く、それにより例えば食品を準備するために必要な時間に影響を与える自身に関する重要な装置パラメータをデータベースＤＢに送信し、適切な制御データ（命令Ｉｎｓｔ２）を返信として受信しても良い。本発明によれば、走査装置が食品準備装置３に接続されるようにする対応もまた為され、これにより、パッケージ上のバーコード又はパッケージに含まれる非接触型データ担体を参照することにより、インスタント食品の内容が読み出されチェックされる。食品準備装置３をプログラムするために内蔵型の制御装置が利用されるのではなく、例えばＢｌｕｅｔｏｏｔｈ（登録商標）、電話又は赤外リンクのようなデータリンクを介して食品準備装置３と通信するリモートコントローラ装置による利用が為されても良いことは言うまでもない。食品準備装置３及びＡＶ装置５は、同様に上述されたデータリンクを介して通信しても良い。
【００２５】
消費者は、例えば「肉なし」、「アルコールなし」、「菜食主義者」といった、食品及び飲料に関連する特定の好みを指定するため、リモートコントローラ４を利用しても良い。これらの好みはデータベースＤＢにおいて、これらの好みに最も適する、提案される食品と照合される。
【００２６】
本発明による方法の一実施例においては、データベースＤＢに名前、アドレス等を与える消費者情報ＫＩを送信することにより、消費者が仕出し（catering）サービスから、自動的に又は少なくとも部分的に自動的に、ＡＶコンテンツに適合する食品を注文することを可能とするための対応が為される。データベースＤＢは、与えられたＡＶコンテンツに適合する食品と消費者の好みとの間に適切な合致がある場合、自動注文ＯＲを生成し、食品供給元１０に送信する。注文ＯＲはまた、時間情報を含む。これにより例えば、配布が実行されるべきときに、家庭に居る消費者にとって意図された時間に食品が準備されているか否か、及び該消費者がＡＶコンテンツと合わせて該食品を食べることができるか否かを、前記食品供給元が知ることができる。
【００２７】
一般に、データベースＤＢによって制御装置１に送信されるいずれの食品情報ＳＩも、受信される食品情報ＳＩの内容に依存するイベントを制御装置１において起動すると言える。該イベントは、一方では、ユーザに対する情報の表示であっても良い。該表示は、適切な命令Ｉｎｓｔ１をＤＶＤプレイヤのようなＡＶ装置５に送信する制御装置１によって為される。該命令Ｉｎｓｔ１は、食品情報ＳＩ自体に含まれるか、又は制御装置１によって食品情報ＳＩから抽出される。ＡＶ装置５において、命令Ｉｎｓｔ１は、画面６における表示のためビデオ信号に変換される。前記イベントは、他方では、時間に応じて食品準備装置３を動作させ食品及び／又は飲料を準偽するため、適切な命令Ｉｎｓｔ２を食品準備装置３に送信する制御装置１によって為される、例えば電子レンジ又は製氷装置のような食品準備装置３の直接の起動であっても良い。該命令Ｉｎｓｔ２は、食品情報ＳＩ自体に含まれるか、又は制御装置１によって食品情報ＳＩから抽出される。本目的のため、食品準備装置３自体が装置特有の装置情報ＧＩをデータベースＤＢに送信することが可能であり、装置情報ＧＩに基づいて、データベースＤＢが、適切な命令Ｉｎｓｔ２を決定し、該命令Ｉｎｓｔ２を食品情報ＳＩに含め、食品情報ＳＩを制御装置１に送信する場合、有用である。又は、制御装置１が食品準備装置３から適切な装置情報ＧＩを要求し、該装置情報ＧＩをデータベースＤＢに送信することが可能である場合もまた有用である。代替として、制御装置１は、ユーザから適切な装置情報ＧＩを受信するように構成されても良い。この場合、データの入力は例えばリモートコントローラ４を介して実行される。リモートコントローラ４は、ユニバーサルリモートコントローラの形をとると有用であり、この場合にはＡＶ装置５、及び必要であれば食品準備装置３をもが、該コントローラにより制御されても良い。本発明の好適な実施例によれば、制御装置１が消費者情報ＫＩをデータベースＤＢに送信するように対応が為される。消費者情報ＫＩは、リモートコントローラ４を介してユーザにより入力されても良い。入力された消費者情報ＫＩが制御装置１に保存され、消費者が一度だけ該情報を入力すれば良いようにすることが好ましい。消費者情報ＫＩは、例えば肉のない食品、アルコールのない飲料等のようなユーザの好みを含んでも良く、またデータベースＤＢにおいて食品情報ＳＩをより詳細に規定するために利用されても良い。
【００２８】
本発明による方法の実施例においては、データベースＤＢが、受信されたＡＶ識別子ＩＤ及び消費者情報ＫＩから注文情報ＯＲを生成し、注文情報ＯＲをデータネットワーク８によって食品供給元１０に送信するように対応が為される。消費者情報ＫＩは、本例においては、消費者のアドレスを含むべきである。食品供給元１０は、適切な食品を消費者に配布することにより該注文に対応する。また、データベースＤＢが、図１における矢印ＵＰによって示されるように、データネットワーク９によって更新可能であるように対応が為される。データネットワーク８及び９は例えばインターネットであっても良い。
【００２９】
データネットワーク７による制御装置１とデータベースＤＢとの間の通信についても、制御装置１が、データベースＤＢ'とローカルに通信するように構成されるように対応が為される。データベースＤＢ'は、データベースＤＢの複製である。本例においては、データベースＤＢ'がデータネットワーク７により制御装置１にロードされ、制御装置１中でローカルに動作されるように対応が為されても良い。代替として、データベースＤＢ'は、例えばＣＤ、ＤＶＤ、半導体メモリ等のようなデータ担体上で、制御装置１にとって利用可能となるようにされても良い。
【００３０】
制御装置１は、スタンドアロン型のユニットの形をとっても良いし、又は代替としてＡＶ装置５及び／又は食品／飲料準備装置３及び／又はリモートコントローラユニット４に内蔵されても良いことは留意されたい。制御装置１はまた、ＡＶデータ担体に保存されたＡＶ識別子を読み取るように構成されても良い。このことは、制御装置１がＡＶ装置５に内蔵される場合、容易に為される。なぜならこの場合、ＡＶ装置５中のＡＶ再生回路を用いることができるからである。例えばＡＶ装置がＤＶＤプレイヤの形をとる場合、各ＤＶＤが持つ一意的な識別子が読み取られＡＶ識別子として利用されても良い。
【００３１】
制御装置１の更なる実施例は、好ましくはバーコード読み取り手段又は非接触型データ担体を読み取るための読み取り手段を持つ食品走査手段２を有する。走査手段２はまた、カセット又はＡＶデータ担体のパッケージからＡＶ識別子を読み取るために利用されても良い。
【図面の簡単な説明】
【００３２】
【図１】オーディオ／ビデオコンテンツと組み合わせて食品及び／又は飲料についての情報を提供するための、本発明による方法を実行するためのシステムを示す。
【図２】本発明において利用されるデータベースのレイアウトの例を示す。
【図１】
2007535087.tif 000003
【図２】
2007535087.tif 000004
【国際調査報告】
2007535087.tif 000005
2007535087.tif 000006
2007535087.tif 000007